(57)【要約】【課題】海水の浸入を防止でき、首回りを自在にアレンジすることができるウェットスーツを提供する。【解決手段】ウェットスーツ（１０）を首から下の全身を被覆するウェットスーツ本体部（１０ａ）と、首近傍の上半身を被覆するフラップ（１４）とから構成する。フラップ（１４）は、首を被覆する筒部（１２）と上半身の一部を被覆するスカート部（１３）とから構成する。ウェットスーツ本体部（１０ａ）の背面と、フラップ（１４）のスカート部（１３）の端部のそれぞれに設けられているファスナ（１５、１６）によって、フラップ（１４）をウェットスーツ本体部（１０ａ）に分離可能に接続する。【選択図】図１
2011093041.tif 000002
【特許請求の範囲】
【請求項１】
体に着用されるウェットスーツ本体部と、頭部から装着されるフラップとからなるウェットスーツであって、
前記フラップは、筒部と、該筒部に接続されているスカート部とから構成され、装着されると前記筒部によって首が、前記スカート部によって首近傍の上半身がそれぞれ被覆されるようになっており、前記スカート部において、前記ウェットスーツ本体部に切り離し可能に接続されていることを特徴とするウェットスーツ。
【請求項２】
請求項１に記載のウェットスーツにおいて、前記フラップは、頭部を被覆するフード部が前記筒部に接続されていることを特徴とするウェットスーツ。
【請求項３】
請求項１または２に記載のウェットスーツにおいて、前記スカート部と前記ウェットスーツ本体部は、線ファスナー、面ファスナー、ボタン、クリップ、またはゴム磁石のいずれかによって接続されていることを特徴とするウェットスーツ。
【発明の詳細な説明】
【技術分野】
【０００１】
本発明は、ウェットスーツに関するものである。特に、サーフィン、ウィンドサーフィン等のマリンスポーツで使用される場合に好適なウェットスーツに関するものである。
【背景技術】
【０００２】
ウェットスーツには、色々な形状のものが提供されており、例えば上下一体型のワンピース型、半袖のウエアと長袖の上着とからなるセパレート型が周知である。ウェットスーツは、可撓性を備えた素材から形成され体に密着するので、着用された内側に対して比較的海水は進入し難い。従って、快適にサーフィンなどのマリンスポーツを楽しむことができる。【０００３】
ワンピース型のウェットスーツは、概略２種類のタイプに分類することができる。一方のタイプは、首部の開口部から背中にかけて線ファスナ、いわゆるジッパーが設けられているタイプであり、ジッパータイプと呼ばれている。ジッパータイプのウェットスーツにおいては、着用時に背中のジッパーを開く。そうすると首部の開口部が広がるので、そこからウェットスーツ内に体を入れることができる。次いでジッパーを締めるとウェットスーツを着用することができる。ジッパータイプは、次に説明するジッパーレスタイプに比して着脱が容易であるという利点がある。【０００４】
他方のタイプは、背中にジッパーが設けられていない、いわゆるジッパーレスタイプであり、特許文献１にその例が記載されている。このタイプはノンジップタイプと呼ばれることもあり、具体的には、ウェットスーツの本体であるウェットスーツ本体部と、いわゆるフラップとから構成されている。フラップは、筒部とスカート部とからなり、頭から装着される部材である。ウェットスーツ本体部は、その首部の開口部が広く形成されており、背中の部分に、あるいは胸部にこのフラップが固定的に取り付けられている。このようなジッパーレスタイプを着用するときは、ウェットスーツ本体部の首部の開口部を押し広げる。そして、押し広げられた開口部から体を入れてウェットスーツ本体部を着衣する。次いで、頭をフラップの筒部に通してフラップを装着する。フラップが装着されると、その筒部は首に密着し、スカート部はウェットスーツ本体部の上から上半身の一部、すなわち肩、胸、背中の一部を被覆することになる。このようなジッパーレスタイプは、背中にジッパーが設けられていないので装着感に優れている。
【先行技術文献】
【特許文献】
【０００５】
【特許文献１】特開２００８−１９５４８号公報
【発明の概要】
【発明が解決しようとする課題】
【０００６】
ジッパータイプにもジッパーレスタイプにも、それぞれ優れた点が認められるが、問題点も見受けられる。例えば、首からの海水の侵入が十分に抑制されていないという問題がある。ジッパータイプの場合、首回りの開口部が比較的小径に形成されていて着用者の首に密着していている。従って、ある程度海水は浸入し難くなっているが、首が完全に被覆されていないので、波の圧力を受けると首から海水が浸入してしまう。ジッパーレスタイプの場合、フラップによって首からの海水の浸入がある程度抑制されている。しかしながら、フラップの種類によっては海水の侵入を防ぐことはできない。例えば、首を覆う筒部が短いフラップは、首が十分に覆われていないので首から海水が浸入してしまう。【０００７】
ジッパーレスタイプにおいては、単にフラップを代えたい場合でも、ウェットスーツを新たに購入しなければならないという問題がある。フラップは、ウェットスーツ本体部に縫い付けられていて、ウェットスーツ本体部とフラップは一体的に提供されているからである。フラップを代えたい理由には色々あるが、例えば筒部の長さを変えたい場合がある。例えば、前記したように筒部の短いフラップは、海水は侵入し易いという問題はあるが、首の圧迫感がないので装着感に優れている。従って、夏期用としては人気が高い。これに対して筒部の長いフラップは海水は侵入し難く、そして首の保温性が高く、冬季用としては適しているが圧迫感がある。従って、季節に応じてフラップの筒部の長さを代えたい。単にフラップの筒部の径を変えたい場合もある。さらにはフラップが劣化して筒部の径が広がってしまうこともある。このような場合にはフラップの筒部が首にフィットしなくなるので、フラップを代える必要がある。このように色々な理由でフラップを代える必要があるが、フラップを代えるには前記したように新たにウェットスーツを購入しなければならず費用が嵩んでしまう。【０００８】
ジッパーレスタイプの場合、レディメイドでウェットスーツを提供することが難しいという問題もある。ウェットスーツをレディメイドで提供できればスーツを安価に提供できて好ましい。しかしながら、首周りの径は個人差が大きいので、フラップの筒部の径を固定のサイズにすることはできない。そうすると、筒部の径が異なるフラップが設けられているウェットスーツを複数着用意しなければならなくなり、安価にウェットスーツを提供することができなくなる。つまり、実質的にレディメイドで提供することが難しい。【０００９】
本発明は上記の問題を鑑みてなされたものであり、首周りのアレンジを可能にしたウェットスーツを提供することを目的としている。具体的には、季節毎にウエットスーツを用意したり、首周りの径の変化に合わせて格別にウエットスーツを交換する必要がなく、従って安価であり、使用条件に適合するように首周りを色々とアレンジすることができるウエットスーツを提供することを目的としている。
【課題を解決するための手段】
【００１０】
本発明のウェットスーツは、体に着用されるウェットスーツ本体部と、頭部から装着されるフラップとからなるウェットスーツとして構成する。そして、フラップは、ウェットスーツ本体部に、切り離し可能に接続する。【００１１】
かくして、請求項１記載の発明は、上記目的を達成するために、体に着用されるウェットスーツ本体部と、頭部から装着されるフラップとからなるウェットスーツであって、前記フラップは、筒部と、該筒部に接続されているスカート部とから構成され、装着されると前記筒部によって首が、前記スカート部によって首近傍の上半身がそれぞれ被覆されるようになっており、前記スカート部において、前記ウェットスーツ本体部に切り離し可能に接続されるように構成される。
請求項２に記載の発明は、請求項１に記載のウェットスーツにおいて、前記フラップは、頭部を被覆するフード部が前記筒部に接続されるように構成される。
請求項３に記載の発明は、請求項１または２に記載のウェットスーツにおいて、前記スカート部と前記ウェットスーツ本体部は、線ファスナー、面ファスナー、ボタン、クリップ、またはゴム磁石のいずれかによって接続されるように構成される。
【発明の効果】
【００１２】
本発明によれば、ウェットスーツは、ウェットスーツ本体部とフラップとから構成され、フラップがウェットスーツ本体部に切り離し可能に接続されているので、フラップを別のフラップに自由に付け替えることが可能になる。これにより、首周りをアレンジすることが可能になる。すなわち、装着感の優れた筒部の短いフラップ、海水の侵入を防止する効果が高い筒部の長いフラップ、または防寒効果が高いフード付きタイプのフラップを、適宜ウェットスーツ本体部に接続することができるので、ウェットスーツを季節毎に用意する必要がない。また、フラップが劣化したり、首の径が増減しても、フラップだけを交換すれば済む。さらには、色や模様が異なるデザインのフラップも適宜交換することもできる。従って、ウェットスーツを安価に提供することができる。
【図面の簡単な説明】
【００１３】
【図１】本発明の第１の実施の形態に係るウェットスーツの斜視図であり、その（ａ）は背面から、その（ｂ）は正面から見た斜視図である。
【図２】本発明の第１の実施の形態に係るウェットスーツを示す図であり、フラップ部が着用された状態を示す斜視図である。
【図３】本発明の実施の形態に係るフラップ部を示す図であり、その（ａ）〜（ｃ）は各種のフラップ部を示す斜視図である。
【図４】本発明の第２の実施の形態に係るウェットスーツの斜視図であり、その（ａ）は正面から、その（ｂ）は背面から見た斜視図である。
【発明を実施するための形態】
【００１４】
以下、本発明を実施するための形態について図面を用いて説明する。
本実施の第１の形態に係るウェットスーツ１０は、いわゆるジッパーレスタイプのウエットスーツであり、図１に示されているように、ウェットスーツ本体部１０ａと、フラップ１４とから構成されている。ウェットスーツ本体部１０ａとフラップ１４は、いずれも伸縮性と弾力性に富むクロロプレンゴム製の生地から製造されており、本実施の形態においては、サーフィン用の３ｍｍ程度の厚さの生地が使用されている。ウェットスーツ本体部１０ａはスーツ本体であり、首用開口部１１が設けられている。また、図には示されていないが手首や足首を出すための手首用開口部、足首用開口部も設けられている。本実施の形態に係るウェットスーツ本体部１０ａには、首用開口部１１を広げるためのジッパーは設けられていない。その代わりに、首用開口部１１が比較的広く形成されている。ウェットスーツ本体部１０ａは伸縮性と弾力性に富むので、着用者はこの首用開口部１１を押し広げて体を入れることができる。
【００１５】
ウェットスーツ本体部１０ａの背中の部分には線ファスナ、すなわちジッパー１５が設けられている。後で詳しく説明するフラップ１４にもジッパー１６が設けられており、これらのジッパー１５、１６によって、フラップ１４が切り離し可能、あるいは着脱可能に接続されている。ジッパー１５、１６を接続するスライダー１６ａは、いずれの側に取り付けられていても良いが、本実施の形態においてはフラップ１４側のジッパー１６に取り付けられている。このジッパーレスタイプのウェットスーツ１０においては、フラップ１４を取り外してウェットスーツ本体部１０ａ単体で着用されることはほとんどないが、そのように着用される場合に、スライダー１６ａがスポーツの妨げにならないようにするためである。ウェットスーツ本体部１０ａの胸部には、面ファスナ１９が設けられており、フラップ１４の装着時にフラップ１４の端部を固定できるようになっている。
【００１６】
フラップ１４は、筒部１２と、筒部１２に接続されているスカート部１３とから構成されている。頭部から装着されると、筒部１２によって首が被覆され、スカート部１３によって上半身の一部、すなわち胸部と肩と背中のそれぞれの一部が被覆されることになる。
【００１７】
筒部１２は、ウェットスーツ本体部１０ａの首用開口部１１よりも小径になっている。図１には、筒部１２は、長さが２０ミリメートの比較的短いものが示されている。筒部１２は首用開口部１１よりも小径になっているが、可撓性の素材から構成されているので、筒部１２を伸張することができる。従って、装着時には筒部１２を伸張して容易に頭を挿入することができ、装着されると首にフィットして、首からの海水の浸入を抑制することができる。
【００１８】
スカート部１３には、その端部にジッパー１６が設けられており、既に説明したようにウェットスーツ本体部１０ａに切り離し可能に接続されている。スカート部１３の他の端部には面ファスナ１８が設けられている。これは、ウェットスーツ本体部１０ａの胸部に設けられている面ファスナ１９に対応する面ファスナである。フラップ１４が装着されるとき、スカート部１３の他の端部がウェットスーツ本体部１０ａの胸部に固定される。
【００１９】
第１の実施の形態に係るウェットスーツ１０の作用を説明する。ジッパー１５、１６を締めて、ウェットスーツ本体部１０ａにフラップ１４を接続する。首用開口部１１を押し広げて、そこから体を挿入し、ウェットスーツ本体部１０ａを着用する。次いで図２に示されているようにフラップ１４を頭から装着し、スカート部１３に設けられている面ファスナ１８をウェットスーツ本体部１０ａに設けられている面ファスナ１９に固定する。このようにしてウェットスーツ１０を着用することができる。
【００２０】
フラップ１４を交換する場合には、スライダー１６ａによってジッパー１５、１６を開き、フラップ１４をウェットスーツ本体部１０ａから分離する。他のフラップをウェットスーツ本体部１０ａに取り付ける。ウェットスーツ１０には、このようにして異なる種類のフラップを取り付けることができる。従って、好みのフラップを適宜取り付けて首周りをアレンジすることができる。また、フラップが劣化した場合にはフラップのみを交換することもできる。
【００２１】
図３には、色々な種類のフラップが示されている。第１の実施の形態に係るフラップ１４は、図３の（ａ）に示されているように、筒部１２が比較的短いタイプのフラップであり、既に説明したように第１の実施の形態に係るウェットスーツ１０に接続されているフラップである。このタイプは夏期に使用されることが比較的多く、装着感は優れているが海水の侵入を抑制する効果は高くはない。第２の実施の形態に係るフラップ１４ｂは、図３（ｂ）に示されているように、筒部１２ｂが比較的長いフラップである。装着するときには、筒部１２ｂを首の内側に折り曲げる。フラップ１４ｂは、折り曲げられた筒部１２ｂが首に密着するので、筒部１２が短い第１の実施の形態に係るフラップ１４に比べて、海水の浸入を防止できる効果が高い。このフラップ１４ｂを装着すると海水温が若干低下する季節であっても快適にマリンスポーツを楽しむことができる。第３の実施の形態に係るフラップ１４ｃは、図３（ｃ）に示されているように、フード付きタイプ、いわゆる頭巾タイプのフラップであり、フードＦがスカート部１３に接続されている。もしくは、フードＦが筒部１２ｃに接続されていると見なすこともできる。第３の実施の形態に係るフラップ１４ｃを使用すれば、頭部も海水で濡れにくいので冬期であっても快適にマリンスポーツを楽しむことができる。
【００２２】
次に第２の実施の形態に係るウェットスーツ２０を説明する。
第２の実施の形態に係るウェットスーツ２０は、いわゆるジッパータイプのスーツであり、図４に示されている。本実施の形態に係るウェットスーツ２０も、前実施の形態に係るウェットスーツ１０と同様に、ウェットスーツ本体部２０ａとフラップ２３とから構成されている。本実施の形態においては、ウェットスーツ本体部２０ａの背面部に、腰部から首用開口部２１に達するジッパー２２が設けられている。従って、ジッパー２２を開いて首用開口部２１を広げることができる。本実施の形態においては、首用開口部２１は首に密着するように小径に形成されている。
【００２３】
ウェットスーツ本体部２０ａの胸部には線ファスナー、すなわちジッパー２４が設けられ、フラップ２３がスカート部２７の端部において切り離し可能に取り付けられている。ウェットスーツ本体部２０ａの背面の部分には、面ファスナ２６が設けられており、スカート部２７の他方の端部に設けられている面ファスナ２５が取り付けられるようになっている。つまり、フラップ２３の端部が背中部に固定できるようになっている。本実施の形態に係るウェットスーツ２０は、首用開口部２１が小径に形成されており、そもそも水が浸入し難い構造になっている。フラップ２３が装着されると実質的に海水はウェットスーツ２０内に侵入することはない。従って、快適にマリンスポーツを楽しむことができる。もちろん、フラップ２３は必要な時期だけ取り付けるようにすればよく、フラップ２３が不要な場合には、フラップ２３を外してウェットスーツ本体部２０ａだけを着用することもできる。
【００２４】
上記したような実施の形態は色々な変形が可能である。例えば、第１の実施の形態においては、フラップ１４を切り離し可能に接続するジッパー１５は、ウェットスーツ本体部１０ａの背中の部分に設けられているように説明したが、ジッパー１５が胸部に設けられていても良い。また、第２の実施の形態に係るウェットスーツ２０においても同様であるが、このようなジッパー１５は、ウェットスーツ本体部１０ａに設けられていればよく、上半身の任意の部分に設けることができる。さらには、フラップ１４を切り離し可能に接続する手段は、ジッパーに限定される必要はなく、面ファスナ、ボタン、またはクリップ等であってもよいし、ゴム磁石であってもよい。
【００２５】
また、上記の各実施の形態においては、フラップ１４、２３をウェットスーツ本体部１０ａ、２０ａに分離可能に接続する手段と、フラップの装着時にフラップを固定する手段とは、それぞれ異なっているように説明したが、本来これらを区別する必要はない。すなわち、これらの接続手段、あるいは固定手段は、同一の種類から構成されていてもよい。例えば、全て面ファスナーから構成されていてもよいし、異なる種類から構成されていてもよい。
【００２６】
さらにはウェットスーツ１０、２０の素材に関しても変形が可能である。上記では、クロロプレンゴムから製造されているように説明したが、どのような素材から構成されていてもよい。
【符号の説明】
【００２７】
１０、２０  ウェットスーツ
１０ａ、２０ａ  ウェットスーツ本体部
１１、２１  首用開口部
１２  筒部
１３  スカート部
１４、２３  フラップ
１５、１６、２２、２４  ジッパー
１８、１９、２５、２６  面ファスナ
【図１】
2011093041.tif 000003
【図２】
2011093041.tif 000004
【図３】
2011093041.tif 000005
【図４】
2011093041.tif 000006
【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
体に着用されるウェットスーツ本体部と、頭部から装着されるフラップとからなるウェットスーツであって、
前記フラップは、筒部と、該筒部に接続されているスカート部とから構成され、
前記ウェットスーツ本体部が着用された後に前記フラップが装着されると前記筒部によって首が、前記スカート部によって首近傍の上半身がそれぞれ被覆されるようになっており、
前記フラップは、前記ウェットスーツ本体部に対して前記スカート部が、線ファスナー、面ファスナー、ボタン、クリップ、またはゴム磁石のいずれかによって切り離し可能に接続されていることを特徴とするウェットスーツ。
【請求項２】
請求項１に記載のウェットスーツにおいて、前記フラップは、頭部を被覆するフード部が前記筒部に接続されていることを特徴とするウェットスーツ。
【手続補正２】
【補正対象書類名】明細書
【補正対象項目名】００１１
【補正方法】変更
【補正の内容】
【００１１】
かくして、請求項１記載の発明は、上記目的を達成するために、体に着用されるウェットスーツ本体部と、頭部から装着されるフラップとからなるウェットスーツであって、前記フラップは、筒部と、該筒部に接続されているスカート部とから構成され、前記ウェットスーツ本体部が着用された後に前記フラップが装着されると前記筒部によって首が、前記スカート部によって首近傍の上半身がそれぞれ被覆されるようになっており、前記フラップは、前記ウェットスーツ本体部に対して前記スカート部が、線ファスナー、面ファスナー、ボタン、クリップ、またはゴム磁石のいずれかによって切り離し可能に接続されているように構成される。
請求項２に記載の発明は、請求項１に記載のウェットスーツにおいて、前記フラップは、頭部を被覆するフード部が前記筒部に接続されるように構成される。
【国際調査報告】
2011093041.tif 000007
2011093041.tif 000008